(57)【要約】  【課題】  左右の光学ブロック１１、１２を対称にかつ一緒に移動させて眼幅調整を行なうことができるようにした眼鏡型ディスプレイ装置を提供する。  【解決手段】  左右の光学ブロック１１、１２に取付けられる取付けブロック１５、１６を中央の連結パイプ１７に摺動可能に嵌合させるとともに、この連結パイプ１７内を伸縮しない糸４３を挿通させ、この糸４３の一方の端部を一方の取付けブロック１５の終端の壁部３９の雌ねじ孔４０に調整可能に螺着された調整ねじ４１に止着するとともに、糸４３の反対側の端部を連結パイプ１７の終端に取付けられている折返し部材５３によって折返し、反対側の取付けブロック１６に止着し、しかも一方の取付けブロック１５と連結パイプ１７との間に圧縮コイルばね４５を介装する。【選択図】  図６
2005217551.tif 000002
【特許請求の範囲】
【請求項１】
左右一対の光学ブロックを中央の連結部材によって連結するようにした眼鏡型ディスプレイ装置において、
前記一対の光学ブロックを前記連結部材に対して該連結部材の長さ方向に移動可能に取付けるとともに、
前記連結部材を挿通する索状体によって前記左右一対の光学ブロックが対称に移動するように結合したことを特徴とする眼鏡型ディスプレイ装置。
【請求項２】
前記連結部材が中空のパイプであることを特徴とする請求項１に記載の眼鏡型ディスプレイ装置。
【請求項３】
前記索状体が伸縮しない糸であることを特徴とする請求項１に記載の眼鏡型ディスプレイ装置。
【請求項４】
左右一対の光学ブロックの中間位置に対応するように前記連結部材に鼻あてが取付けられることを特徴とする請求項１に記載の眼鏡型ディスプレイ装置。
【請求項５】
前記連結部材の中間位置が屈曲するとともに、屈曲された部分の両側のストレートな部分に前記左右一対の光学ブロックが移動可能に取付けられることを特徴とする請求項１に記載の眼鏡型ディスプレイ装置。
【請求項６】
左右一対の光学ブロックにそれぞれ固定される左右の取付けブロックを中央の連結部材によって摺動自在に連結し、
前記連結部材の内側の空洞部に挿通される索状体によって前記左右の取付けブロックを前記連結部材の長さ方向の所定の位置に対して対称に移動するように結合したことを特徴とする眼鏡型ディスプレイ装置。
【請求項７】
前記索状体の一端が一方の取付けブロックに調整可能に螺着されている調整ねじに止着されるとともに、他端が前記連結部材の反対側端部に取付けられた折返し部材によって折返されて他方の取付けブロックに止着され、しかも前記一方の取付けブロックと前記連結部材との間に索状体に張力を与えるように付勢手段が介装されることを特徴とする請求項６に記載の眼鏡型ディスプレイ装置。
【請求項８】
前記他方の取付けブロックを前記連結部材に対して任意の位置でロックするロック機構が設けられ、解除釦を押すと前記ロック機構によるロックが解除されることを特徴とする請求項６に記載の眼鏡型ディスプレイ装置。
【請求項９】
前記連結部材の両端にそれぞれ折返し部材が取付けられ、両側の折返し部材によって左右対称に掛渡される左右一対の索状体を介して左右の取付けブロックがそれぞれ連結されることを特徴とする請求項６に記載の眼鏡型ディスプレイ装置。
【発明の詳細な説明】
【技術分野】
【０００１】
本発明は眼鏡型ディスプレイ装置に係り、とくに左右一対の光学ブロックを有し、しかも前記左右一対の光学ブロックを中央の連結部材を介して互いに連結した眼鏡型ディスプレイ装置に関する。
【背景技術】
【０００２】
例えば特開平６−３３１９２８号公報には、装置本体内にフレームを介して一対のシャフトを取付けてあり、これらの各シャフトに沿って一対の光学視覚ユニットが近接および離間するように左右にそれぞれ移動自在であって、フレーム上にはバックライトのスライド板を前後方向にスライド自在に設け、このバックライトの上下部には一対のシャフトを取付け、これらのシャフトに沿って一対の光学視覚ユニットの一部をなす一対のＬＣＤホルダが左右方向に移動し、これにより一対の光学視覚ユニットの眼幅調整は、つまみの回動によりカム機構とリンク機構とを介して行なわれ、視度、輻輳調整はつまみの回動によりカム機構を介して行なわれるようにし、これによって左右の眼球に映像をそれぞれ投影させる一対の光学視覚ユニットの眼幅調整および視度、輻輳調整調整が容易にできるようにした眼鏡型ディスプレイ装置が開示されている。
【０００３】
また特開平９−１２００４１号公報、特開平８−２２０４６９号公報、特開平１０−１２３４５３号公報、特開平７−２８７１８８号公報、特開平１０−２３９６２８号公報等にも、眼鏡型ディスプレイ装置が開示されている。
【０００４】
上記特開平６−３３１９２８号公報や特開平６−３１５１２１号公報に開示されている眼鏡型映像表示装置の眼幅を調整する機構は、眼鏡型映像表示装置のキャビ本体に対して、左右の映像表示ブロックが独立にそれぞれ取付けられ、眼幅を調整する際にはそれぞれを別々に調整する必要があった。このために眼幅調整の操作が面倒になる欠点がある。
【０００５】
また左右の光学ブロックが細いパイプ等の連結部材によって構成されるコンパクトな眼幅調整機構によってつながれ、左右のそれぞれの光学ブロックに映像表示装置が取付けられているタイプの場合には、左右の光学ブロックを持って眼幅調整することになる。このときに中央の眼幅調整機構の連結パイプに対して左右の内の片側の光学ブロックだけが動いてしまう可能性がある。従って連結パイプに鼻あてが取付けられている場合には、鼻あての位置が左右の光学ブロックの中心からずれることになる。
【特許文献１】特開平６−３３１９２８号公報
【特許文献２】特開平６−３１５１２１号公報
【特許文献３】特開平９−１２００４１号公報
【特許文献４】特開平８−２２０４６９号公報
【特許文献５】特開平１０−１２３４５３号公報
【特許文献６】特開平７−２８７１８８号公報
【特許文献７】特開平１０−２３９６２８号公報
【発明の開示】
【発明が解決しようとする課題】
【０００６】
本願発明の課題は、左右一対の光学ブロックの位置調整が容易な眼鏡型ディスプレイ装置を提供することである。
【０００７】
本願発明の別の課題は、一方の光学ブロックの位置調整を行なうと反対側の光学ブロックも同時に位置調整されるようにした眼鏡型ディスプレイ装置を提供することである。
【０００８】
本願発明のさらに別の課題は、左右の光学ブロックが対称に位置調整されるようにした眼鏡型ディスプレイ装置を提供することである。
【０００９】
本願発明のさらに別の課題は、中央の鼻あての部分に対してその両側に対称に光学ブロックが配置されるように眼幅調整を行なうことが可能な眼鏡型ディスプレイ装置を提供することである。
【００１０】
本願発明の上記の課題および別の課題は、以下に述べる本願発明の技術思想および実施の形態によって明らかにされよう。
【課題を解決するための手段】
【００１１】
本願の主要な発明は、左右一対の光学ブロックを中央の連結部材によって連結するようにした眼鏡型ディスプレイ装置において、
前記一対の光学ブロックを前記連結部材に対して該連結部材の長さ方向に移動可能に取付けるとともに、
前記連結部材を挿通する索状体によって前記左右一対の光学ブロックが対称に移動するように結合したことを特徴とする眼鏡型ディスプレイ装置に関するものである。
【００１２】
ここで前記連結部材が中空のパイプであってよい。また前記索状体が伸縮しない糸であってよい。また左右一対の光学ブロックの中間位置に対応するように前記連結部材に鼻あてが取付けられてよい。また前記連結部材の中間位置が屈曲するとともに、屈曲された部分の両側のストレートな部分に前記左右一対の光学ブロックが移動可能に取付けられてよい。
【００１３】
本願のさらに別の主要な発明は、左右一対の光学ブロックにそれぞれ固定される左右の取付けブロックを中央の連結部材によって摺動自在に連結し、
前記連結部材の内側の空洞部に挿通される索状体によって前記左右の取付けブロックを前記連結部材の長さ方向の所定の位置に対して対称に移動するように結合したことを特徴とする眼鏡型ディスプレイ装置に関するものである。
【００１４】
ここで前記索状体の一端が一方の取付けブロックに調整可能に螺着されている調整ねじに止着されるとともに、他端が前記連結部材の反対側端部に取付けられた折返し部材によって折返されて他方の取付けブロックに止着され、しかも前記一方の取付けブロックと前記連結部材との間に索状体に張力を与えるように付勢手段が介装されてよい。また前記他方の取付けブロックを前記連結部材に対して任意の位置でロックするロック機構が設けられ、解除釦を押すと前記ロック機構によるロックが解除されてよい。また前記連結部材の両端にそれぞれ折返し部材が取付けられ、両側の折返し部材によって左右対称に掛渡される左右一対の索状体を介して左右の取付けブロックがそれぞれ連結されてよい。
【００１５】
本願発明の好ましい態様は、使用する人の眼幅に眼鏡型ディスプレイ装置の左右の映像表示位置を合わせる機構を有する眼鏡型ディスプレイ装置である。ここで伸縮しない糸を使用することによって、左右の眼鏡ブロックが中央の連結部品に対して対称に移動する機構とする。また連結部材の折曲げ角度を任意に設定することによって、左右の光学ブロックの配置角度の自由度を大きくする。
【００１６】
このような態様によれは、左右の眼鏡ブロックが、連結部材に対して対称に動くために、眼幅調整時に左右の移動量を考えなくてもよい。また左右の眼鏡ブロックのつなぎを構成する連結部材に糸が挿通されるパイプを１本だけ配するだけでよく、シンプルなデザインの眼鏡型ディスプレイ装置が提供される。
【発明の効果】
【００１７】
本願の主要な発明は、左右一対の光学ブロックを中央の連結部材によって連結するようにした眼鏡型ディスプレイ装置において、一対の光学ブロックを連結部材に対して該連結部材の長さ方向に移動可能に取付けるとともに、連結部材を挿通する索状体によって左右一対の光学ブロックが対称に移動するように結合したものである。
【００１８】
従ってこのような眼鏡型ディスプレイ装置によれば、連結部材を挿通する索状体によって左右一対の光学ブロックが対称に移動するために、一方の光学ブロックを移動させると他方の光学ブロックも一緒に移動される。しかも対称に移動するために、中心に対して左右対称な位置に左右の光学ブロックが常に配置されることになる。
【００１９】
本願の別の主要な発明は、左右一対の光学ブロックにそれぞれ固定される左右の取付けブロックを中央の連結部材によって摺動自在に連結し、連結部材の内側の空洞部に挿通される索状体によって左右の取付けブロックを連結部材の長さ方向の所定の位置に対して対称に移動するように結合したものである。
【００２０】
従ってこのような眼鏡型ディスプレイ装置によれば、連結部材の内部の空洞部に挿通される索状体によって左右の取付けブロックが連結部材の長さ方向にこの連結部材の所定の位置に対して対称に移動される。従って一方の取付けブロックあるいは光学ブロックを移動させるだけで反対側の取付けブロックあるいは光学ブロックも一緒に移動し、これらの取付けブロックあるいは光学ブロックが常に対称な位置に移動調整されるようになる。
【発明を実施するための最良の形態】
【００２１】
図１および図２は本実施の形態に係る眼鏡型ディスプレイ装置の全体の構造を示すものであって、この眼鏡型ディスプレイ装置は左右一対の光学ブロック１１、１２を備えている。これらの光学ブロック１１、１２はそれぞれフレーム１３、１４を備え、これらのフレーム１３、１４に取付けられるようになっている。そしてフレーム１３、１４の内側にはそれぞれ取付けブロック１５、１６が取付けられ、これらの取付けブロック１５、１６が中央の連結パイプ１７を介して互いに移動自在に連結されている。また上記連結パイプ１７の長さ方向の中間位置には下方に延出されるようにアーム１８が設けられ、このアーム１８の下端側の部分に鼻あて１９が取付けられている。
【００２２】
またこの眼鏡型ディスプレイ装置は、上記光学ブロック１１、１２の側端側から後方に延出されるように、テンプル２１、２２がそれぞれヒンジ機構を介して回動可能に取付けられている。従ってこのようなテンプル２１、２２を用いて側頭部を挟着するか、テンプル２１、２２を耳の上部に係止することによって、光学ブロック１１、１２を有する眼鏡型ディスプレイ装置が図１に示すように装着者の顔の部分に眼鏡と同様の形態で装着される。しかも光学ブロック１１、１２の眼と対応する部分が半透明になっているために、サングラスを掛けたような外観を呈する。
【００２３】
図２はこのような眼鏡型ディスプレイ装置の左右の光学ブロック１１、１２の構成を示しており、左右の光学ブロック１１、１２は互いに対称なので左側の光学ブロック１１について説明すると、光学ブロック１１は映像発生部２２を備えている。映像発生部２２は映像源となる液晶表示パネル２３を備え、この液晶表示パネル２３の背面側に導光板２４が配され、しかも導光板２４の側端には発光ダイオード２５が取付けられている。そして上記液晶表示パネル２３の前方側には複数の、例えば３つの光学レンズ２６が配されている。
【００２４】
上記光学レンズ２６の前方側にはプリズム３０が設けられる。プリズム３０はその左右両側端が反射面になっている。すなわちヒンジ側反射面３１と連結部側反射面３２とが両側端にそれぞれ設けられている。
【００２５】
このような光学ブロック１１の動作の概略を説明する。液晶表示パネル２３によって映像が形成される。従って発光ダイオード２５を点灯させ、導光板２４によってこの液晶表示パネル２３を背面側から照明すると、上記液晶表示パネル２３からの映像光が光学レンズ２６を通してプリズム３０のヒンジ側反射面３１側に入射される。ヒンジ側反射面３１に入射された映像光はこの反射面３１で反射され、プリズム３０内を反射しながら進行し、反対側の反射面３２で反射されてプリズム３０から出射し、装着者の眼３５に到達する。従ってこの眼鏡型ディスプレイ装置を装着した装着者は、あたかも液晶表示パネル２３に形成された映像が眼の前方にあるかのようにしてこの映像を視認することができる。
【００２６】
次に上述のような構造の眼鏡型ディスプレイ装置の眼幅調整の構造について説明する。図４に示すように、左右の光学ブロック１１、１２に直接、あるいはフレーム１３、１４を介して取付けブロック１５、１６が取付けられており、これらの取付けブロック１５、１６が中央に位置する連結パイプ１７によって連結される構造になっている。なお連結パイプ１７には、上述の如くアーム１８を介して鼻あて１９が取付けられており、この鼻あて１９の中央の位置が左右の中央部に位置するようになっている。
【００２７】
次に眼幅調整の具体的な構造を図５〜図７によって説明する。図５および図６に示すように左側の取付けブロック１５には連結パイプ１７が挿通される摺動孔３８が軸線方向に沿って形成されるとともに、終端が壁部３９になっている。そして壁部３９には雌ねじ孔４０が形成され、この雌ねじ孔４０に調整ねじ４１が螺着されている。調整ねじ４１は中心孔４２を備え、この中心孔４２に伸縮しない糸４３が挿通されている。また上記取付けブロック１５の壁部３９と連結パイプ１７の端部との間には圧縮コイルばね４５が介装され、この圧縮コイルばね４５によって連結パイプ１７は図６Ａにおいて右方に摺動付勢されている。
【００２８】
また上記取付けブロック１５にはその上部に位置決めビス４８が螺着され、この位置決めビス４８の先端側の部分は連結パイプ１７の長孔４９に係合し、これによって連結パイプ１７は摺動孔３８内における回転方向の位置決めと長さ方向のストロークの規制とが行なわれるようになっている。
【００２９】
次に反対側、すなわち右側の光学ブロック１２に取付けらる取付けブロック１６は図６Ｂに示すようにその軸線方向を貫通するように摺動孔５２を備え、この摺動孔５２に上記連結パイプ１７の右端側が挿入されている。そして上記連結パイプ１７の右端を塞ぐように該連結パイプ１７の端部には折返し部材５３が結合され、この折返し部材５３の中心孔５４を上記糸４３が挿通されている。そして糸４３は折返し部材５３によって折返されるとともに、取付けブロック１６の上面の止着ピン５５に止着されるようになっている。
【００３０】
またこの取付けブロック１６はロック機構を備えている。ロック機構はロック爪５８を備えた板ばね５９から構成されている。ロック爪５８を有する板ばね５９はビス６０によって取付けブロック１６の下端に止着されるとともに、上記ロック爪５８が開口６１によってこの取付けブロック１６の内側に突出し、連結パイプ１７の下面に形成されているギザギザ６２と係合するようになっている。
【００３１】
そして上記ロック爪５８によるロックを解除するように板ばね５９にはコ字状の解除部材６３が取付けられるようになっている（図７参照）。解除部材６３はその上面に解除釦６４を備えるとともに、取付けブロック１６の外表面の凹部６５に係合されるようになっている。また取付けブロック１６には位置決めビス６８が螺着され、この位置決めビス６８が連結パイプ１７の長孔６９に係合され、これによって連結パイプ１７の回転位置と摺動方向のストロークの規制とを行なうようにしている。
【００３２】
このように本実施の形態の眼鏡型ディスプレイ装置の眼幅調整機構は、全体としては例えば金属の部材から構成され、左右一対の取付けブロック１５、１６を中央の連結パイプ１７に摺動するように嵌合させて組立てるようにしている。中央の連結パイプ１７の左右両端にはそれぞれ長孔４９、６９が形成され、取付けブロック１５、１６にそれぞれ螺着された位置決めビス４８、６８の先端部が摺動可能に係合している。これによって中央の連結パイプ１７と左右の取付けブロック１５、１６との回転止めと摺動範囲を決定することになる。
【００３３】
中央に位置する連結パイプ１７には伸縮しない糸４３が挿通されており、この糸４３の一端は左側の取付けブロック１５の壁部３９の雌ねじ孔４０に螺着された調整ねじ４１に止着されている。この調整ねじ４１は上述の如く取付けブロック１５の壁部３９の雌ねじ孔４０に対して回転可能にねじ込まれているために、上記調整ねじ４１の取付け位置が軸線方向に調整できるようになっており、糸４３を弛むことなく取付けるために使用するようにしている。糸４３の他端は連結パイプ１７の右端に取付けられてある折返し部材５３の側面をスムーズに滑るように折返され、右側の取付けブロック１６の止着ピン５５に止着されている。
【００３４】
また左側の取付けブロック１５の壁部３９と連結パイプ１７の左端との間に介装された圧縮コイルばね４５によって連結パイプ１７に対して左右の取付けブロック１５、１６が１番広がる位置に移動されるために、右側の取付けブロック１６に連結パイプ１７にロックするためのロック機構を設けるようにしている。このロック機構は例えばロック爪５８を有する板ばね５９から成っており、解除部材６３の解除釦６４を押すことによってロック爪５８と連結パイプ１７のギザギザ６２の係合によるロックが外れる機構にしている。左側の取付けブロック１５にはロック機構は存在しないが、右側の取付けブロック１６がロックされると、一定の長さの糸が緊張するように、圧縮コイルばね４５によって糸が張力を受ける方向に力が加わるために、左側の取付けブロック１５の位置は自動的に決定される。
【００３５】
次に眼幅調整の動作について説明するに、図４に示すように左右の取付けブロック１５、１６がそれぞれ左右の光学ブロック１１、１２に直接、あるいはフレーム１３、１４を介して固定されている。そして左右の光学ブロック１１、１２が眼幅調整機構によって位置決めされることにより、眼鏡型ディスプレイ装置全体としての眼幅調整を行なうことができるようになっている。
【００３６】
今左右の光学ブロック１１、１２の幅を縮めるように例えば右側の取付けブロック１６を中心側へ、すなわち図８において左方へ移動させる。すると連結パイプ１７の右端に取付けられた折返し部材５３と右側の取付けブロック１６の端部との間の糸４３の長さＢがｂだけ長くなり、上記糸４３を介してつながっている左側の取付けブロック１５内の連結パイプ１７の左側の端面から糸調整ねじ４１の先端部までの糸４３の長さＡがａだけ短くなる。ばね４５によって糸４３は常に弛むことなく緊張状態にあり、しかも糸４３は伸縮しないために、常にａ＝ｂの関係が成立つ。つまり中央の連結パイプ１７に対して左右の取付けブロック１５、１６の移動量が常に等しくなる。
【００３７】
上記の動作は左右の取付けブロック１５、１６を近接させるように移動させたときの動作であるが、左右の取付けブロック１５、１６を互いに離間するように移動させる場合においても、中央の連結パイプ１７に対して左右の取付けブロック１５、１６の移動量が常に等しくなる。すなわちこの眼鏡型ディスプレイ装置によれば、左右の光学ブロック１１、１２を連結パイプ１７の中央部であって鼻あて１９が取付けられている部分に対して左右対称に移動させることによって、眼幅調整時の左右の光学ブロック１１、１２の移動量を常に等しくできるために、左右一対の光学ブロック１１、１２の移動量を個別に操作する必要がなくなる。
【００３８】
次に変形例を図９によって説明する。この変形例の眼鏡型ディスプレイ装置の要部は図９に示すように、伸縮しない２本の糸４３を左右対称に張設し、これによって圧縮コイルばね４５をなくしたものである。すなわち連結パイプ１７の両端にそれぞれ折返し部材５３を取付けるようにし、左端の折返し部材５３によって折返される糸４３によって左側の取付けブロック１５の端部と右側の取付けブロック１６のピン６８とを連結する。またパイプ１７の右端に取付けられている折返し部材５３によって右側の取付けブロック１６と左側の取付けブロック１５のピン４８とを連結する。ここで上記ピン４８、６８はそれぞれ連結パイプ１７の長孔４９、６９にそれぞれ摺動可能に挿通されており、これによって左右の取付けブロック１５、１６の連結パイプ１７に対する回転位置を規制し、摺動方向のストロークを規制するようになっている。
【００３９】
このような実施の形態によれば、糸４３を２本用いることによって左右の取付けブロック１５、１６を連結部材１７の中央部を中心に対称に近接および離間自在に位置調整し、左右の取付けブロック１５、１６の位置を調整することが可能になる。
【００４０】
次にさらに別の実施の形態を図１０によって説明する。この実施の形態は左右の取付けブロック１５、１６を左右対称に移動させる連結パイプ１７の形状を屈曲させるようにしたものである。すなわち図１０Ａに示す連結パイプ１７はへの字型に屈曲され、両端のストレートな部分にそれぞれ左右の取付けブロック１５、１６が摺動可能に取付けられている。
【００４１】
これに対して図１０Ｂに示す連結パイプ１７は、その中間部が円弧状に屈曲されるとともに、両端がストレートになっている。そして両端のストレートになっている部分にそれぞれ取付けブロック１５、１６が摺動可能に嵌合されている。
【００４２】
このように中央の連結パイプ１７は糸４３が挿通されるとともに、左右の取付けブロック１５、１６がそれぞれ摺動可能に移動すればどのような形状でもよい。また折返し部材５３が取付けられる部分に滑車やプーリ等を入れて糸４３の折返し動作を円滑に行なうようにしてもよい。あるいはまた折返し部材５３の糸４３を導く部分を曲面にしてスムーズな糸の移動を可能にすることもできる。
【００４３】
以上本願発明を図示の実施の形態によって説明したが、本願発明は上記実施の形態によって限定されることなく、本願発明の技術思想の範囲内で各種の変更が可能である。例えば光学ブロックの表示装置として液晶表示装置２３以外の他の表示装置を用いるようにしてもよい。また左右の取付けブロック１５、１６をフレーム１３、１４と一体にしてもよい。あるいはまた左右の取付けブロック１５、１６を光学ブロック１１、１２の筐体に一体に組込むようにしてもよい。また索状体として伸縮しない糸に代えて、柔軟なワイヤや鎖を用いるようにしてもよい。
【産業上の利用可能性】
【００４４】
本願発明は、眼鏡型ディスプレイ装置に広く利用可能である。
【図面の簡単な説明】
【００４５】
【図１】眼鏡型ディスプレイ装置の使用状態の外観斜視図である。
【図２】同眼鏡型ディスプレイ装置の外観斜視図である。
【図３】眼鏡型ディスプレイ装置の光学系の構成を示す要部平面図である。
【図４】眼幅調整機構の全体の構成を示す要部平面図である。
【図５】眼幅調整機構の要部斜視図である。
【図６】眼幅調整機構の左右の取付けブロックの構造を示す要部縦断面図である。
【図７】右側の取付けブロックのロック機構を示す分解斜視図である。
【図８】眼幅調整の原理を示す要部縦断面図である。
【図９】変形例の眼幅調整機構の要部縦断面図である。
【図１０】別の変形例の眼幅調整機構の要部平面図である。
【符号の説明】
【００４６】
１１‥‥光学ブロック（左）、１２‥‥光学ブロック（右）、１３‥‥フレーム（左）、１４‥‥フレーム（右）、１５‥‥取付けブロック（左）、１６‥‥取付けブロック（右）、１７‥‥連結パイプ、１８‥‥アーム、１９‥‥鼻あて、２１‥‥テンプル（左）、２２‥‥テンプル（右）、２３‥‥液晶表示装置、２４‥‥導光板、２５‥‥発光ダイオード、２６‥‥光学レンズ、３０‥‥プリズム、３１‥‥反射面（側端側）、３２‥‥反射面（中心側）、３５‥‥装着者の眼、３８‥‥摺動孔、３９‥‥壁部、４０‥‥雌ねじ孔、４１‥‥調整ねじ、４２‥‥中心孔、４３‥‥伸縮しない糸、４５‥‥圧縮コイルばね、４８‥‥位置決めビス、４９‥‥長孔、５２‥‥摺動孔、５３‥‥折返し部材、５４‥‥中心孔、５５‥‥止着ピン、５８‥‥ロック爪、５９‥‥板ばね、６０‥‥ビス、６１‥‥開口、６２‥‥ギザギザ、６３‥‥解除部材、６４‥‥解除釦、６５‥‥凹部、６８‥‥位置決めビス、６９‥‥長孔
【図１】
2005217551.tif 000003
【図２】
2005217551.tif 000004
【図３】
2005217551.tif 000005
【図４】
2005217551.tif 000006
【図５】
2005217551.tif 000007
【図６】
2005217551.tif 000008
【図７】
2005217551.tif 000009
【図８】
2005217551.tif 000010
【図９】
2005217551.tif 000011
【図１０】
2005217551.tif 000012